(57)【特許請求の範囲】
【請求項１】
カラー画情報を記憶するカラー画情報記憶手段と、白黒画情報を記憶する白黒画情報記憶手段と、前記カラー画情報記憶手段に記憶されているカラー画情報の記憶量が所定の値を越えた場合には、白黒画情報を受信することを選択情報として設定する一方、該カラー画情報の記憶量が該所定の値を越えていないときには、カラー画情報を受信することを選択情報として設定する選択情報設定手段と、通信回線を介して送信側ファクシミリ装置から画情報を受信する場合に、該選択情報設定手段で設定された選択情報を該送信側ファクシミリ装置に送信する選択情報送信手段と、を備えたことを特徴とするファクシミリ装置。
【請求項２】
通信回線を介して送信側ファクシミリ装置から送信される情報信号を受信して符号化画情報に復調する受信手段と、受信された符号化画情報を所定の復号化方式に基づいて画情報に復号化する画情報復号化手段と、復号化された白黒画情報を記憶する白黒画情報記憶手段と、復号化されたカラー画情報を記憶するカラー画情報記憶手段と、通信回線を介して送信側ファクシミリ装置からカラー画情報を受信する場合に、前記カラー画情報記憶手段に記憶されているカラー画情報の記憶量が所定の値を越えたときには、前記画情報復号化手段で復号化されたカラー画情報を白黒画情報記憶手段に記憶するように制御する制御手段と、を備えたことを特徴とするファクシミリ装置。
【請求項３】
通信回線を介して送信側ファクシミリ装置からカラー画情報を受信する場合に、前記カラー画情報記憶手段に記憶されているカラー画情報の記憶量が所定の値を越えたか否か受信ページ毎に判断する判断手段を備えたことを特徴とする請求項２記載のファクシミリ装置。
【発明の詳細な説明】
【０００１】
【産業上の利用分野】
本発明は、ファクシミリ装置に関し、特に、送信原稿からカラー画情報および白黒画情報を同時に読み込んで記憶し、受信側ファクシミリ装置から送信される選択情報に基づいて受信側ファクシミリ装置の都合に合わせてカラー画情報あるいは白黒画情報を選択して送受信できるファクシミリ装置に関する。
【０００２】
【従来の技術】
近年、ファクシミリ等の画像通信システムは、高度情報化社会および通信技術の発達により高度になってきている。現在は、２値化された白黒画像処理を採用したファクシミリ装置が一般的に普及しているが、カラー通信に用いる画像処理装置の需要も画像の見易さ等の点から少しづつ増えてきている。そこで、できるだけ送信者側のカラー原稿に近い画像を受信側のファクシミリ装置で取り出そうと試みられてきている。
【０００３】
【発明が解決しようとする課題】
しかしながら、従来のファクシミリ装置にあっては、受信側ファクシミリ装置がカラー画情報を受信した後にカラー印字できる機能を有していても、メモリ容量の都合でカラー画情報を受信できない状態の場合には、送信側ファクシミリ装置はカラー画情報を送信することを断念せざるを得ないといった問題があり、また、受信側ファクシミリ装置はカラー画情報を受信することを断念せざるを得ないといった問題があった。
【０００４】
そこで、本発明は、送信側ファクシミリ装置においては、送信原稿からカラー画情報および白黒画情報を同時に読み込んで記憶し、受信側ファクシミリ装置から送信される選択情報に基づいて受信側ファクシミリ装置の都合に合わせてカラー画情報あるいは白黒画情報を選択して送信できる一方、受信側ファクシミリ装置においては、カラー画情報の記憶量が所定の値を越えたか否かによってカラー画情報あるいは白黒画情報を選択して送信側ファクシミリ装置に宣告でき、また、カラー画情報の記憶量が所定の値を越えた場合には、カラー画情報を白黒画情を記憶するメモリに記憶するように制御することで、メモリ受信を確実に行なってカラー画情報を記憶することができるファクシミリ装置を提供することを目的としている。
【０００５】
【課題を解決するための手段】
本発明は、上記課題を解決するため、原稿画像からカラー画情報を読み取るカラー画情報読取手段と、読み取られた該カラー画情報を記憶するカラー画情報記憶手段と、原稿画像から白黒画情報を読み取る白黒画情報読取手段と、読み取られた該白黒画情報を記憶する白黒画情報記憶手段と、通信回線を介して受信側ファクシミリ装置に接続した後に、該受信側ファクシミリ装置からカラー画情報あるいは白黒画情報のうちいづれか一方を選択して受信することを表す選択情報を受信する選択情報受信手段と、受信された該選択情報に基づいて前記カラー画情報記憶手段または前記白黒画情報記憶手段に記憶された画情報を所定の符号化方式に基づいて符号化画情報に符号化する画情報符号化手段と、該符号化画情報を情報信号に変調して前記受信側ファクシミリ装置に送信する送信手段と、を備えたことを特徴とする。
【０００６】
本発明は、上記課題を解決するため、前記受信側ファクシミリ装置から送信された選択情報に白黒画情報が設定されている場合には、送信原稿がカラー原稿であった情報を原稿のヘッダ部にヘッダ画情報として付加するヘッダ画情報付加手段を備えたことを特徴とする。
請求項１記載の発明は、上記課題を解決するため、カラー画情報を記憶するカラー画情報記憶手段と、白黒画情報を記憶する白黒画情報記憶手段と、前記カラー画情報記憶手段に記憶されているカラー画情報の記憶量が所定の値を越えた場合には、白黒画情報を受信することを選択情報として設定する一方、該カラー画情報の記憶量が該所定の値を越えていないときには、カラー画情報を受信することを選択情報として設定する選択情報設定手段と、通信回線を介して送信側ファクシミリ装置から画情報を受信する場合に、該選択情報設定手段で設定された選択情報を該送信側ファクシミリ装置に送信する選択情報送信手段と、を備えたことを特徴とする。
【０００７】
請求項２記載の発明は、上記課題を解決するため、通信回線を介して送信側ファクシミリ装置から送信される情報信号を受信して符号化画情報に復調する受信手段と、受信された符号化画情報を所定の復号化方式に基づいて画情報に復号化する画情報復号化手段と、復号化された白黒画情報を記憶する白黒画情報記憶手段と、復号化されたカラー画情報を記憶するカラー画情報記憶手段と、通信回線を介して送信側ファクシミリ装置からカラー画情報を受信する場合に、前記カラー画情報記憶手段に記憶されているカラー画情報の記憶量が所定の値を越えたときには、前記画情報復号化手段で復号化されたカラー画情報を白黒画情報記憶手段に記憶するように制御する制御手段と、を備えたことを特徴とする。
【０００８】
請求項３記載の発明は、上記課題を解決するため、請求項２記載の発明において、通信回線を介して送信側ファクシミリ装置からカラー画情報を受信する場合に、前記カラー画情報記憶手段に記憶されているカラー画情報の記憶量が所定の値を越えたか否か受信ページ毎に判断する判断手段を備えたことを特徴とする。
【０００９】
【作用】
本発明では、カラー画情報読取手段により原稿画像からカラー画情報を読み取り、読み取られたカラー画情報をカラー画情報記憶手段に記憶する。一方、白黒画情報読取手段により原稿画像から白黒画情報を読み取り、読み取られた白黒画情報を白黒画情報記憶手段に記憶する。ここで、通信回線を介して受信側ファクシミリ装置に接続した後に、選択情報受信手段により受信側ファクシミリ装置からカラー画情報あるいは白黒画情報のうちいづれか一方を選択して受信することを表す選択情報を受信し、受信された選択情報に基づいてカラー画情報記憶手段または白黒画情報記憶手段に記憶された画情報を所定の符号化方式に基づいて画情報符号化手段により符号化画情報に符号化する。次に、送信手段により符号化画情報を情報信号に変調して受信側ファクシミリ装置に送信する。
【００１０】
本発明では、受信側ファクシミリ装置から送信された選択情報に白黒画情報が設定されている場合には、ヘッダ画情報付加手段により送信原稿がカラー原稿であった情報を原稿のヘッダ部にヘッダ画情報として付加する。
請求項１記載の発明では、カラー画情報をカラー画情報記憶手段に記憶する一方、白黒画情報を白黒画情報記憶手段に記憶する。ここで、カラー画情報記憶手段に記憶されているカラー画情報の記憶量が所定の値を越えた場合には、選択情報設定手段により白黒画情報を受信することを選択情報として設定する一方、カラー画情報の記憶量が所定の値を越えていないときには、カラー画情報を受信することを選択情報として設定する。次に、通信回線を介して送信側ファクシミリ装置から画情報を受信する場合に、選択情報設定手段で設定された選択情報を選択情報送信手段により送信側ファクシミリ装置に送信する。
【００１１】
請求項２記載の発明では、通信回線を介して送信側ファクシミリ装置から送信される情報信号を受信手段により受信して符号化画情報に復調し、受信された符号化画情報を画情報復号化手段により所定の復号化方式に基づいて画情報に復号化する。復号化された白黒画情報を白黒画情報記憶手段に記憶する一方、復号化されたカラー画情報をカラー画情報記憶手段に記憶する。ここで、通信回線を介して送信側ファクシミリ装置からカラー画情報を受信する場合に、カラー画情報記憶手段に記憶されているカラー画情報の記憶量が所定の値を越えたときには、制御手段により画情報復号化手段で復号化されたカラー画情報を白黒画情報記憶手段に記憶するように制御する。
【００１２】
請求項３記載の発明では、通信回線を介して送信側ファクシミリ装置からカラー画情報を受信する場合に、判断手段によりカラー画情報記憶手段に記憶されているカラー画情報の記憶量が所定の値を越えたか否か受信ページ毎に判断する。
【００１３】
【実施例】
以下、本発明の実施例を図面を参照して説明する。
まず、ファクシミリ装置１００のシステム構成について説明する。
図１は本発明に係わるファクシミリ装置１００のシステム構成図である。
図１に示すように、制御部１は、メモリ部２に記憶された制御プログラムに従って本装置全体を制御する。メモリ部２は、制御プログラムや制御に必要な種々の制御データを記憶している。
【００１４】
スキャナ部３は、送信原稿を光学的に読み取り白黒画信号を白黒画情報に変換する。また、スキャナ部３は、Ｒ・Ｇ・Ｂ各色に対応する色成分を有するＬＥＤを各ラインに対してそれぞれ発光して送信原稿に照射し、送信原稿の反射光を光学的に読み取りカラー画信号をカラー画情報に変換する。
プロッタ部４は、イエローやマゼンタやシアンや黒等の単色のインク玉を噴射して記録紙上にカラー画像イメージを形成するインクジェット方式の印字ヘッドを有し、原稿のコピーや受信原稿の印刷出力を行う。
【００１５】
操作部５は、オペレータによる操作を入力するとともに、操作情報を表示してオペレータに伝える。モデム部６は、送信信号の変調や受信信号の復調を行うとともに、相手ファクシミリ装置との間でファクシミリ制御信号を交換してファクシミリ通信手順を実行する。網制御部７は、通信回線との接続や切断を制御する。符号化復号化部８は、画情報をＭＨ方式やＭＲ方式やＭＭＲ方式等の符号化方式に基づいて符号化画情報に符号化するとともに、符号化画情報を画情報に復号化する。
【００１６】
カラー画情報記憶部９は、スキャナ部３で読み取られたＲ・Ｇ・Ｂ各色のカラー画情報を順次に記憶する。白黒画情報記憶１０は、スキャナ部３で読み取られた白黒画情報を順次に記憶する。
画情報付加部１１は、入力された文字コードに対応するキャラクタデータを発生して画情報に変換した後に、送信すべき原稿画情報のヘッダ部やフッタ部にヘッダ画情報やフッタ画情報を付加する。例えば、送信原稿がカラー原稿だったことを表す情報を付加する。
【００１７】
補色生成部１２は、入力されたＲ・Ｇ・Ｂ各色のカラー画情報を補色処理してＹ・Ｍ・Ｃ各色のカラー画情報を生成し、プロッタ部４にＹ・Ｍ・Ｃ各色のカラー画情報を出力する。バス１３は、これらの各部を接続する。
図２は本発明に係わるファクシミリ装置１００のスキャナ部３の密着センサ部分の構成図である。
【００１８】
図２に示すように、スキャナ部３の密着センサ部分は、センサセル２１，２２およびシフトレジスタ２３，２４から構成される。
センサセル２１，２２は、原稿に照射された反射光を光電変換して信号電荷を蓄積する。シフトレジスタ２３，２４は、センサセル２１，２２に蓄積された信号電荷を転送クロックφ１  ，φ２  によって順次に転送する。
【００１９】
ここで、Ｒ・Ｇ・Ｂ各色に対応する色成分を有するＬＥＤを各ラインに対して交互に発光して送信原稿に照射し、送信原稿の反射光をセンサセル２１でＲ・Ｇ・Ｂ各色の信号電荷を蓄積し、シフトレジスタ２３によって転送されてＲ・Ｇ・Ｂ各色に対応するカラー画信号を得る。
一方、単色光を有するＬＥＤを各ラインに対して発光して送信原稿に照射し、送信原稿の反射光をセンサセル２２で白黒の信号電荷を蓄積し、シフトレジスタ２３によって転送させて白黒画信号を得る。
【００２０】
図３は本発明に係わるファクシミリ装置１００のカラー画情報記憶部９および白黒画情報記憶部１０の内部構成図である。
図３（ａ）に示すように、カラー画情報記憶部９は、ライン番号および記憶される内容によって構成され、スキャナ部３で読み取られた１ラインを構成するＲ・Ｇ・Ｂ各色のカラー画情報を順次に記憶する。
【００２１】
一方、図３（ｂ）に示すように、白黒画情報記憶部１０は、ライン番号および記憶される内容によって構成され、スキャナ部３で読み取られた白黒画情報を１ライン毎に順次に記憶する。
なお、カラー画情報記憶部９に記憶されるＲ・Ｇ・Ｂ各色を含むカラー画情報が所定量を越えた場合には、スキャナ部３で読み取られたＲ・Ｇ・Ｂ各色のカラー画情報を白黒画情報記憶部１０に記憶できるように構成するものとする。
【００２２】
次に、図４は本発明に係わるファクシミリ装置１００の伝送制御手順を示す図である。
図４に示すように、送信側ファクシミリ装置が、通信回線を介して受信側ファクシミリ装置にダイヤリングして発呼した後に、呼び出し音ＣＮＧ信号を送出する。
【００２３】
受信側ファクシミリ装置は、ＣＮＧ信号を検出した後に、被呼端末識別信号ＣＥＤを送信し、次いで、白黒画情報を受信することを表す選択情報またはカラー画情報を受信することを表す選択情報を非標準機能識別信号ＮＳＦに設定してを送信する。
これを受けて送信側ファクシミリ装置は、選択情報に設定された白黒画情報またはカラー画情報に対応して送信機能を準備することを表す送信準備情報を非標準機能設定信号ＮＳＳに設定してを送信する。
【００２４】
次に、送信側ファクシミリ装置は、送信端末識別信号ＴＳＩを送信する。次いで、送信側ファクシミリ装置はトレーニングチェックＴＣＦを開始する。
次に、受信側ファクシミリ装置は、トレーニングチェックＴＣＦを受信た後に、受信準備確認信号ＣＦＲを送信する。
次に、送信側ファクシミリ装置は、受信準備確認信号ＣＦＲを受信すると、原稿の１ページ目の符号化カラー画情報信号ＰＩＸを送信する。
【００２５】
次に、最終ページの送信が終わると、送信側ファクシミリ装置は手順終了信号ＥＯＰを送信する。受信側ファクシミリ装置からメッセージ確認信号ＭＣＦを受信し、送信側ファクシミリ装置は切断命令信号ＤＣＮを送信して通信を終了する。
（実施例１）
本実施例は図１で説明したファクシミリ装置に適用することができる。本実施例では、本発明の特徴部分を具体的に説明する。
【００２６】
図５は本発明に係わるファクシミリ装置１００が原稿を読み取るときの動作を示すフローチャートである。
まず、オペレータは、原稿の読取動作に先立って送信原稿をスキャナ部３の原稿台に設定したものとする。次いで、オペレータは、操作部５のテンキーから送信先ファクシミリ装置の端末番号を入力する。次いで、オペレータが、操作部５のスタートキーを押下してスキャナ部３に送信原稿の読み取り動作を開始させる（処理Ｓ１）。
【００２７】
スキャナ部３は、送信原稿を光学的に読み取り白黒画信号を所定の閾値を基準にして２値化し、図３（ｂ）に示すように、スキャナ部３で読み取られた白黒画情報の１ライン分を白黒画情報記憶１０記憶する（処理Ｓ２）。
次に、スキャナ部３は、Ｒ・Ｇ・Ｂ各色に対応する色成分を有するＬＥＤを各ラインに対してそれぞれ発光して送信原稿に照射し、送信原稿の反射光を光学的に読み取りＲ・Ｇ・Ｂ各色のカラー画信号をＲ・Ｇ・Ｂ各色に対応するカラー画情報に変換し、図３（ａ）に示すように、スキャナ部３で読み取られたＲ・Ｇ・Ｂ各色の１ライン分のカラー画情報をカラー画情報記憶部９に記憶する（処理Ｓ３）。
【００２８】
次に、制御部１は、送信原稿にスキャナ部３で読み取るべき次ラインがあるか否かを判断する（処理Ｓ４）。処理Ｓ４で、送信原稿に読み取るべき次ラインがある場合には、処理Ｓ２に戻る。
一方、処理Ｓ４で、送信原稿に読み取るべき次ラインがない場合には、制御部１は、送信原稿の全ページの読み取りが終了したか否かを判断する（処理Ｓ５）。処理Ｓ５で、送信原稿の全ページの読み取りが終了した場合には、送信原稿の読み取り動作を終了する。
【００２９】
一方、処理Ｓ５で、送信原稿の全ページの読み取りが終了していない場合には、スキャナ部３の原稿台に乗っている送信原稿を搬送して排紙した後に、次ページの送信原稿をスキャナ部３の原稿台に搬送し、処理Ｓ２に戻る。
次に、図６は本発明に係わるファクシミリ装置１００の送信動作を示すフローチャートである。
【００３０】
図５に示す処理Ｓ１で、オペレータによって操作部５のテンキーから入力された送信先ファクシミリ装置の端末番号を網制御部７に設定して通信回線に発呼する（処理Ｓ１）。
次に、通信回線を介して受信側ファクシミリ装置と接続した後に、受信側ファクシミリ装置から非標準機能識別信号ＮＳＦに設定されたカラー画情報あるいは白黒画情報のうちいづれか一方を選択して受信することを表す選択情報を取得する（処理Ｓ１２）。
【００３１】
次に、制御部１は、非標準機能識別信号ＮＳＦに設定された選択情報に基づいてカラー画情報が選択されたか否かを判断する（処理Ｓ１３）。
処理Ｓ１３で、カラー画情報が選択された場合には、カラー画情報記憶部９に記憶されたＲ・Ｇ・Ｂ各色のカラー画情報を符号化復号化部８で所定の符号化方式に基づいてＲ・Ｇ・Ｂ各色に対応する符号化画情報に符号化し、モデム部６でこの符号化画情報を情報信号に変調して受信側ファクシミリ装置に通信回線を介して送信する（処理Ｓ１４）。
【００３２】
一方、処理Ｓ１３で、カラー画情報が選択されなかった場合には、送信原稿がカラー原稿であった情報を画情報付加部１１でヘッダ部にヘッダ画情報として設定し、まず、このヘッダ画情報を符号化復号化部８で所定の符号化方式に基づいて符号化画情報に符号化し、モデム部６でこの符号化画情報を情報信号に変調して受信側ファクシミリ装置に通信回線を介して送信する（処理Ｓ１５）。
【００３３】
次に、白黒画情報記憶部１０に記憶された白黒画情報を符号化復号化部８で所定の符号化方式に基づいて符号化画情報に符号化し、モデム部６でこの符号化画情報を情報信号に変調して受信側ファクシミリ装置に通信回線を介して送信する（処理Ｓ１６）。この後に、白黒画情報を送信したことを表すメッセージを操作部５に表示する。また、この場合には、カラー画情報記憶部９に記憶されたカラー画情報を再送することを想定して、カラー画情報記憶部９に記憶されたカラー画情報は消去せずに保持しておく。
【００３４】
このように、本実施例では、スキャナ部３（カラー画情報読取手段）により原稿画像からＲ・Ｇ・Ｂ各色に対応するカラー画情報を読み取り、読み取られたＲ・Ｇ・Ｂ各色のカラー画情報をカラー画情報記憶部９（カラー画情報記憶手段）に記憶する。一方、スキャナ部３（白黒画情報読取手段）により原稿画像から白黒画情報を読み取り、読み取られた白黒画情報を白黒画情報記憶部１０（白黒画情報記憶手段）に記憶する。ここで、通信回線を介して受信側ファクシミリ装置に接続した後に、モデム部６（選択情報受信手段）により受信側ファクシミリ装置から非標準機能識別信号ＮＳＦに設定されたカラー画情報あるいは白黒画情報のうちいづれか一方を選択して受信することを表す選択情報を受信し、受信された選択情報に基づいてカラー画情報記憶部９（カラー画情報記憶手段）または白黒画情報記憶部１０（白黒画情報記憶手段）に記憶された画情報を所定の符号化方式に基づいて符号化復号化部８（画情報符号化手段）により符号化画情報に符号化する。次に、モデム部６（送信手段）により符号化画情報を情報信号に変調して受信側ファクシミリ装置に送信する。
【００３５】
従って、送信側ファクシミリ装置では送信原稿をカラー画情報および白黒画情報を同時に読み込んで記憶し、受信側ファクシミリ装置から送信される選択情報に基づいて受信側ファクシミリ装置の都合に合わせてカラー画情報あるいは白黒画情報を選択して送信でき、カラー画情報を選択した場合には、受信側ファクシミリ装置にカラー画情報を送信することができる。
【００３６】
このように、本実施例では、受信側ファクシミリ装置から送信された非標準機能識別信号ＮＳＦに選択情報として白黒画情報が設定されている場合には、画情報付加部１１（ヘッダ画情報付加手段）により送信原稿がカラー原稿であった情報を原稿のヘッダ部にヘッダ画情報として付加するので、受信側ファクシミリ装置の都合で白黒画情報を送信したときでも、送信側ファクシミリ装置が本来送信したい送信原稿がカラー原稿であることを受信側ファクシミリ装置に通知でき、白黒画情報を用いては表現できないような画情報があることを受信側ファクシミリ装置に通知することがきる。
【００３７】
（実施例２）
本実施例（請求項１）も実施例１と同様図１で説明したファクシミリ装置に適用することができる。本実施例では、本発明（請求項１）の特徴部分を具体的に説明する。
次に、図７は本発明に係わるファクシミリ装置１００の受信動作を示すフローチャートである。
【００３８】
まず、通信回線を介して送信側ファクシミリ装置から送信される呼び出し音ＣＮＧ信号を受信した後に、網制御部７で通信回線と接続する（処理Ｓ２１）。
ここで、制御部１は、既にカラー画情報記憶部９に記憶されているＲ・Ｇ・Ｂ各色を含むカラー画情報の記憶量が所定の値を越えたか否かを判断する（処理Ｓ２２）。
【００３９】
処理Ｓ２２で、既にカラー画情報記憶部９に記憶されているカラー画情報の記憶量が所定の値を越えていない場合には、カラー画情報を受信することを選択情報として設定する（処理Ｓ２３）。
制御部１は、処理Ｓ２３で設定された選択情報をモデム部６で非標準機能識別信号ＮＳＦに設定して通信回線を介して送信側ファクシミリ装置に送信する（処理Ｓ２４）。
【００４０】
次に、通信回線を介して送信側ファクシミリ装置から送信されるＲ・Ｇ・Ｂ各色のカラー画情報をカラー画情報記憶部９に順次に記憶する（処理Ｓ２５）。
次に、カラー画情報記憶部９に記憶されたＲ・Ｇ・Ｂ各色のカラー画情報を補色生成部１２でＹ・Ｍ・Ｃ各色のカラー画情報に生成した後に、プロッタ部４で記録紙に記録する（処理Ｓ２６）。
【００４１】
一方、処理Ｓ２２で、既にカラー画情報記憶部９に記憶されているカラー画情報の記憶量が所定の値を越えている場合には、白黒画情報を受信することを選択情報として設定する（処理Ｓ２７）。
制御部１は、処理Ｓ２７で設定された選択情報をモデム部６で非標準機能識別信号ＮＳＦに設定して通信回線を介して送信側ファクシミリ装置に送信する（処理Ｓ２８）。
【００４２】
次に、通信回線を介して送信側ファクシミリ装置から送信される白黒画情報を白黒画情報記憶部１０に順次に記憶する（処理Ｓ２９）。
次に、白黒画情報記憶部１０に記憶された白黒画情報をプロッタ部４で記録紙に記録する（処理Ｓ３０）。
このように、本実施例（請求項１）では、カラー画情報をカラー画情報記憶部９（カラー画情報記憶手段）に記憶する一方、白黒画情報を白黒画情報記憶部１０（白黒画情報記憶手段）に記憶する。ここで、カラー画情報記憶部９（カラー画情報記憶手段）に記憶されているＲ・Ｇ・Ｂ各色を含むカラー画情報の記憶量が所定の値を越えた場合には、制御部１（選択情報設定手段）により白黒画情報を受信することを選択情報として設定する一方、Ｒ・Ｇ・Ｂ各色を含むカラー画情報の記憶量が所定の値を越えていないときには、Ｒ・Ｇ・Ｂ各色のカラー画情報を受信することを選択情報として設定する。次に、通信回線を介して送信側ファクシミリ装置から画情報を受信する場合に、制御部１（選択情報設定手段）で設定された選択情報をモデム部６（選択情報送信手段）により非標準機能識別信号ＮＳＦに設定して送信側ファクシミリ装置に送信する。
【００４３】
従って、Ｒ・Ｇ・Ｂ各色を含むカラー画情報の記憶量が所定の値を越えたか否かによってＲ・Ｇ・Ｂ各色を含むカラー画情報あるいは白黒画情報を選択して送信側ファクシミリ装置に宣告でき、メモリの使用率に合わせてＲ・Ｇ・Ｂ各色のカラー画情報あるいは白黒画情報を選択してメモリ受信を確実に行なって画情報を記憶することができる。
【００４４】
（実施例３）
本実施例（請求項２）も実施例１と同様図１で説明したファクシミリ通信装置に適用することができる。本実施例では、本発明（請求項２）の特徴部分を具体的に説明する。
次に、図８は本発明に係わるファクシミリ装置１００の受信動作を示すフローチャートである。
【００４５】
まず、通信回線を介して送信側ファクシミリ装置から送信される呼び出し音ＣＮＧ信号を受信した後に、網制御部７で通信回線と接続して着呼する（処理Ｓ４１）。
制御部１は、選択情報にカラー画情報を受信できる情報を設定し、この選択情報をモデム部６を介して非標準機能識別信号ＮＳＦに設定して通信回線を介して送信側ファクシミリ装置に送信する（処理Ｓ４２）。
【００４６】
ここで、制御部１は、既にカラー画情報記憶部９に記憶されているＲ・Ｇ・Ｂ各色を含むカラー画情報の記憶量が所定の値を越えたか否かを判断する（処理Ｓ４３）。
処理Ｓ４３で、既にカラー画情報記憶部９に記憶されているカラー画情報の記憶量が所定の値を越えていない場合には、通信回線を介して送信側ファクシミリ装置から送信されるＲ・Ｇ・Ｂ各色のカラー画情報をカラー画情報記憶部９に順次に記憶する（処理Ｓ４４）。次に、カラー画情報記憶部９に記憶されたＲ・Ｇ・Ｂ各色のカラー画情報を補色生成部１２でＹ・Ｍ・Ｃ各色のカラー画情報に生成した後に、プロッタ部４で記録紙に記録し（処理Ｓ４５）、処理を終了する。
【００４７】
一方、処理Ｓ４３で、既にカラー画情報記憶部９に記憶されているカラー画情報の記憶量が所定の値を越えている場合には、通信回線を介して送信側ファクシミリ装置から送信されるＲ・Ｇ・Ｂ各色のカラー画情報を白黒画情報記憶部１０に順次に記憶する（処理Ｓ４６）。
ここで、制御部１は、白黒画情報記憶部１０にＲ・Ｇ・Ｂ各色を含むカラー画情報が記憶されているか否かを判断する（処理Ｓ４７）。処理Ｓ４７で、白黒画情報記憶部１０にカラー画情報が記憶されていない場合には、白黒画情報記憶部１０に記憶された白黒画情報をプロッタ部４で記録紙に記録し（処理Ｓ４８）、処理を終了する。
【００４８】
一方、処理Ｓ４７で、白黒画情報記憶部１０にカラー画情報が記憶されている場合には、まず、カラー画情報記憶部９に記憶されたＲ・Ｇ・Ｂ各色のカラー画情報を補色生成部１２でＹ・Ｍ・Ｃ各色のカラー画情報に生成した後に、プロッタ部４で記録紙に記録する（処理Ｓ４９）。
ここで、カラー画情報記憶部９に記憶されたカラー画情報を全て印字出力したか否かを判断する（処理Ｓ５０）。処理Ｓ５０で、カラー画情報記憶部９に記憶されたカラー画情報を全て印字出力していない場合には、処理Ｓ４９に戻って、継続してＲ・Ｇ・Ｂ各色のカラー画情報を補色生成部１２でＹ・Ｍ・Ｃ各色のカラー画情報に生成した後に、プロッタ部４で記録紙に記録する。
【００４９】
一方、処理Ｓ５０で、カラー画情報記憶部９に記憶されたカラー画情報を全て印字出力した場合には、白黒画情報記憶部１０に記憶された白黒画情報を全て印字出力したか否かを判断する（処理Ｓ５１）。処理Ｓ５１で、白黒画情報記憶部１０に記憶された白黒画情報を全て印字出力していない場合には、白黒画情報記憶部１０に記憶された白黒画情報をプロッタ部４で記録紙に記録し（処理Ｓ５２）、処理Ｓ４９に戻る。
【００５０】
一方、処理Ｓ５１で、白黒画情報記憶部１０に記憶された白黒画情報を全て印字出力した場合には、カラー画情報記憶部９に記憶されたＲ・Ｇ・Ｂ各色のカラー画情報を補色生成部１２でＹ・Ｍ・Ｃ各色のカラー画情報に生成した後に、プロッタ部４で記録紙に記録する（処理Ｓ５３）。
このように、本実施例（請求項２）では、通信回線を介して送信側ファクシミリ装置から送信される情報信号をモデム部６（受信手段）により受信して符号化画情報に復調し、受信された符号化画情報を符号化復号化部８（画情報復号化手段）により所定の復号化方式に基づいて画情報に復号化する。復号化された白黒画情報を白黒画情報記憶部１０（白黒画情報記憶手段）に記憶する一方、復号化されたＲ・Ｇ・Ｂ各色のカラー画情報をカラー画情報記憶部９（カラー画情報記憶手段）に記憶する。ここで、通信回線を介して送信側ファクシミリ装置からカラー画情報を受信する場合に、カラー画情報記憶部９（カラー画情報記憶手段）に記憶されているＲ・Ｇ・Ｂ各色を含むカラー画情報の記憶量が所定の値を越えたときには、制御部１（制御手段）により符号化復号化部８（画情報復号化手段）で復号化されたＲ・Ｇ・Ｂ各色のカラー画情報を白黒画情報記憶部１０（白黒画情報記憶手段）に記憶するように制御する。
【００５１】
従って、Ｒ・Ｇ・Ｂ各色を含むカラー画情報の記憶量が所定の値を越えた場合には、Ｒ・Ｇ・Ｂ各色のカラー画情報を白黒画情報を記憶するメモリに記憶するように制御するので、メモリ受信を確実に行なってＲ・Ｇ・Ｂ各色のカラー画情報を記憶することができる。
（実施例５）
本実施例（請求項３）も実施例１と同様図１で説明したファクシミリ通信装置に適用することができる。本実施例では、本発明（請求項３）の特徴部分を具体的に説明する。
【００５２】
次に、図９は本発明に係わるファクシミリ装置１００の受信動作を示すフローチャートである。
まず、通信回線を介して送信側ファクシミリ装置から送信される呼び出し音ＣＮＧ信号を受信した後に、網制御部７で通信回線と接続して着呼する（処理Ｓ６１）。
【００５３】
制御部１は、選択情報にカラー画情報を受信できる情報を設定し、この選択情報をモデム部６を介して非標準機能識別信号ＮＳＦに設定して通信回線を介して送信側ファクシミリ装置に送信する（処理Ｓ６２）。
ここで、制御部１は、既にカラー画情報記憶部９に記憶されているＲ・Ｇ・Ｂ各色を含むカラー画情報の記憶量が所定の値を越えたか否かを判断する（処理Ｓ６３）。
【００５４】
処理Ｓ６３で、既にカラー画情報記憶部９に記憶されているカラー画情報の記憶量が所定の値を越えている場合には、通信回線を介して送信側ファクシミリ装置から送信されるＲ・Ｇ・Ｂ各色のカラー画情報を白黒画情報記憶部１０に１ページ分記憶する（処理Ｓ６４）。
一方、処理Ｓ４３で、既にカラー画情報記憶部９に記憶されているカラー画情報の記憶量が所定の値を越えていない場合には、通信回線を介して送信側ファクシミリ装置から送信されるＲ・Ｇ・Ｂ各色のカラー画情報をカラー画情報記憶部９に１ページ分記憶する（処理Ｓ４４）。
【００５５】
ここで、制御部１は、通信回線を介して送信側ファクシミリ装置から送信されるＲ・Ｇ・Ｂ各色のカラー画情報に次ページがあるか否かを判断する（処理Ｓ６６）。
処理Ｓ６６で、送信されるカラー画情報に次ページがある場合には、処理Ｓ４９に戻る。
【００５６】
一方、処理Ｓ６６で、送信されるカラー画情報に次ページがない場合には、まず、白黒画情報記憶部１０に記憶された白黒画情報をプロッタ部４で記録紙に全て記録し、次に、白黒画情報記憶部１０に記憶されたＲ・Ｇ・Ｂ各色のカラー画情報を補色生成部１２でＹ・Ｍ・Ｃ各色のカラー画情報に生成した後に、プロッタ部４で記録紙に記録する（処理Ｓ６７）。
【００５７】
次に、カラー画情報記憶部９に記憶されたＲ・Ｇ・Ｂ各色のカラー画情報を補色生成部１２でＹ・Ｍ・Ｃ各色のカラー画情報に生成した後に、プロッタ部４で記録紙に記録する（処理Ｓ６８）。
このように、本実施例（請求項３）では、通信回線を介して送信側ファクシミリ装置からＲ・Ｇ・Ｂ各色のカラー画情報を受信する場合に、制御部１（判断手段）によりカラー画情報記憶部９（カラー画情報記憶手段）に記憶されているＲ・Ｇ・Ｂ各色を含むカラー画情報の記憶量が所定の値を越えたか否か受信ページ毎に判断するので、受信ページ毎にメモリ受信を確実に行なってＲ・Ｇ・Ｂ各色のカラー画情報を記憶することができる。
【００５８】
【発明の効果】
本発明によれば、送信側ファクシミリ装置においては、送信原稿からカラー画情報および白黒画情報を同時に読み込んで記憶し、受信側ファクシミリ装置から送信される選択情報に基づいて受信側ファクシミリ装置の都合に合わせてカラー画情報あるいは白黒画情報を選択して送信できる一方、受信側ファクシミリ装置においては、カラー画情報の記憶量が所定の値を越えたか否かによってカラー画情報あるいは白黒画情報を選択して送信側ファクシミリ装置に宣告でき、また、カラー画情報の記憶量が所定の値を越えた場合には、カラー画情報を白黒画情報を記憶するメモリに記憶するように制御するので、メモリ受信を確実に行なってカラー画情報を記憶することができる。
【図面の簡単な説明】
【図１】本発明に係わるファクシミリ装置１００のシステム構成図である。
【図２】本発明に係わるファクシミリ装置１００のスキャナ部３の密着センサ部分の構成図である。
【図３】本発明に係わるファクシミリ装置１００のカラー画情報記憶部９および白黒画情報記憶部１０の内部構成図である。
【図４】本発明に係わるファクシミリ装置１００の伝送制御手順を示す図である。
【図５】本発明に係わるファクシミリ装置１００が原稿を読み取るときの動作を示すフローチャートである。
【図６】本発明に係わるファクシミリ装置１００の送信動作を示すフローチャートである。
【図７】本発明に係わるファクシミリ装置１００の受信動作を示すフローチャートである。
【図８】本発明に係わるファクシミリ装置１００の受信動作を示すフローチャートである。
【図９】本発明に係わるファクシミリ装置１００の受信動作を示すフローチャートである。
【符号の説明】
１  制御部
２  メモリ部
３  スキャナ部
４  プロッタ部
５  操作部
６  モデム部
７  網制御部
８  符号化復号化部
９  カラー画情報記憶部
１０  白黒画情報記憶部
１１  画情報付加部
１２  補色生成部
１３  バス
２１，２２  センサセル
２３，２４  シフトレジスタ
１００  ファクシミリ装置
【図１】
0003556301.tif 000002
【図２】
0003556301.tif 000003
【図３】
0003556301.tif 000004
【図４】
0003556301.tif 000005
【図５】
0003556301.tif 000006
【図６】
0003556301.tif 000007
【図７】
0003556301.tif 000008
【図８】
0003556301.tif 000009
【図９】
0003556301.tif 000010